(57)【要約】【課題】様々な豊富な色彩を提示することができると共に、そうして提示された色彩を印刷技術を用いて容易に再現することができるようにした色見本提示具を提供する。【解決手段】下地となる色上質紙の紙色と、基準色インクのインク色と、網点面積率の値との組み合わせにより、それぞれ特定される固有の色彩を呈する複数枚の印刷着色式の色見本紙片と、前記色見本紙片のそれぞれが、どのような紙色の色上質紙を使用しているか、どのようなインク色の基準色インクを使用しているか、どのような網点面積率の値を使用しているか、をそれぞれ示す第１、第２、及び第３の表示とを包含し、かつ前記複数枚の色見本紙片は、所定の配置規則にしたがって、配置されている。【選択図】図３
2017058521.tif 000002
【特許請求の範囲】
【請求項１】
下地となる色上質紙の紙色と、前記下地となる色上質紙の上に着色印刷する際の基準色インクのインク色と、前記下地となる色上質紙の上に着色印刷する際の網点面積率の値との組み合わせによって、それぞれ特定される固有の色彩を呈する複数枚の印刷着色式の色見本紙片と、
前記色見本紙片のそれぞれが、下地として、どのような紙色の色上質紙を使用しているかを示す第１の表示と、
前記色見本紙片のそれぞれが、着色のための印刷インクとして、どのようなインク色の基準色インクを使用しているかを示す第２の表示と、
前記色見本紙片のそれぞれが、着色印刷の際に、どのような網点面積率の値を使用しているかを示す第３の表示とを包含し、かつ
前記複数枚の印刷着色式の色見本紙片は、所定の配置規則にしたがって、利用者に提示可能に配置されている色見本提示具。
【請求項２】
前記複数枚の印刷着色式の色見本紙片は、
下地となる色上質紙の紙色と前記下地となる色上質紙の上に着色印刷する際の基準色インクのインク色とを固定したまま、前記下地となる色上質紙の上に着色印刷する際の網点面積率の値のみを所定の最小値と最大値との間で段階的に変化させることにより得られる網点面積率の異なる所定枚数の色見本紙片を、予め用意された色上質紙の紙色数と基準色インクのインク色数との積に相当する分だけ含む、請求項１に記載の色見本提示具。
【請求項３】
前記所定の配置規則が、
前記複数枚の印刷着色式の色見本紙片の全体をインク色を共通とする複数のインク色共通グループに分割し、前記インク色共通グループのそれぞれに含まれる色見本紙片をさらに紙色を共通としかつ網点面積率を段階的に異ならせてなる一連の色見本紙片からなる複数の紙色共通グループに分割し、前記紙色共通グループ毎に重ねて束ねたものをさらにインク色共通グループ毎に束ね、かつ手めくり可能に綴じることで、インク色別の複数の色見本紙片束として配置するものである、請求項２に記載の色見本提示具。
【請求項４】
前記インク色別の複数の色見本紙片束は、
それぞれ各束に含まれる紙片を扇状に展開可能に軸綴じされている、請求項３に記載の色見本提示具。
【請求項５】
前記インク色別の複数の色見本紙片束は、
互いに干渉することなく扇状に展開可能なようにして、共通の台紙上に互いに近接して配置固定されている、請求項４に記載の色見本提示具。
【請求項６】
前記インク色別の複数の色見本紙片束のそれぞれに含まれる各紙色共通束の重ね順序は、
全てのインク色共通の色見本紙片束において同一である、請求項５に記載の色見本提示具。
【請求項７】
前記台紙が、
平面上に展開された状態から、所定の谷折り線に沿って折り曲げることによりブックケース状の箱体の１つの内面を形成する、請求項５又は６に記載の色見本提示具。
【請求項８】
前記ブックケース状の箱体の１つの面には、前記箱体の内部に配置固定された前記インク色別の複数の色見本紙片束の配置パターンに対応する配置パターンをもって、該当する印刷基準色を呈する着色領域が配置されている、請求項７に記載の色見本提示具。
【請求項９】
前記着色領域のそれぞれには、該当するインク色を示す第４の表示が付されている、請求項８に記載の色見本提示具。
【請求項１０】
前記第１の表示が、
下地として使用される色上質紙の商品名である、請求項１〜９のいずれか１つに記載の色見本提示具。
【請求項１１】
前記第２の表示が、
基準色インクのインク色名である藍色（Ｃ）、赤色（Ｍ）、黄色（Ｙ）、及び黒色（Ｋ）の４色の１つである、請求項１〜９のいずれか１つに記載の色見本提示具。
【請求項１２】
前記第３の表示が、
網点面積率のパーセント表示である、請求項１〜９のいずれか１つに記載の色見本提示具。
【請求項１３】
前記網点面積率のパーセント表示の取り得る値は、
０〜１００パーセントの間を１０段階に等分してなる値の１つである、請求項１３に記載の色見本提示具。
【請求項１４】
前記第１〜第３の表示は、
個々の色見本紙片それ自体に付されている、請求項１〜９のいずれか１つに記載の色見本提示具。
【請求項１５】
前記色見本紙片のそれぞれには、
下地となる色上質紙の色が露呈する紙色露呈部が設けられている、請求項１〜９のいずれか１つに記載の色見本提示具。
【発明の詳細な説明】
【技術分野】
【０００１】
この発明は、デザイン作業や印刷物の発注等に際する色指定に好適な色見本提示具に関する。
【背景技術】
【０００２】
デザイン作業や印刷物の発注等に際する色指定に好適な色見本提示具としては、様々な構成のものが従来より知られている。この種の色見本提示具として大切なことは、デザイナー等の発注者に広範な色彩選択肢を提供すると共に、こうして選択された色彩を印刷業者の側で的確に再現できることにある。
【０００３】
従来、かかる目的のためには、色見本紙片のそれぞれに、その色見本紙片の呈する色彩に対応する色相コード、明度コード、及び彩度コードを付すことにより、それらの色彩を定量化する試みが採用されている（例えば、特許文献１参照）。
【０００４】
色相コード、明度コード、及び彩度コード等を用いて定量化された色彩を、白色の印刷用紙上に、印刷基準色（プロセスカラー等とも称される）である藍（Ｃ：シアン）色インク、赤（Ｍ：マゼンダ）色インク、黄（Ｙ：イエロー）インク、及び黒（Ｋ：キーカラー）色インクの１又は２以上を適宜に用い、かつ経験と勘を頼りに、試し刷りを繰り返しつつ、目的とする色彩を再現する印刷技術は従来より知られている。
【先行技術文献】
【特許文献】
【０００５】
【特許文献１】特開２００３−１０８０１３
【発明の概要】
【発明が解決しようとする課題】
【０００６】
昨今、色上質紙の分野では、印刷物の高級嗜好に合わせて、微妙な風合いを有する数十色にも及ぶ様々な製品が市場に提供され、デザイナー等のユーザの好評を得るに至っている。
【０００７】
ところで、上述の様々な微妙な風合いのものを含む色上質紙の上に、印刷基準色（プロセスカラー等とも称される）である藍（Ｃ：シアン）色インク、赤（Ｍ：マゼンダ）色インク、黄（Ｙ：イエロー）インク、及び黒（Ｋ：キーカラー）色インクの１つを適宜な濃度で用いて着色印刷を行えば、色上質紙の紙色と印刷基準色インクのインク色との組み合せ、並びに、インク色濃度の変化との組み合わせにより、より一層の豊富な色彩を実現することができるとの知見を本発明者等は得た。
【０００８】
しかし、そのようにして得られる豊富な色彩を有する色見本提示具（例えば、色見本帳）を使用して特定の色彩を指定した場合、そうして指定された色彩を印刷技術を用いて再現することは、白色印刷用紙の上に指定された色彩を印刷技術を用いて再現する場合とは異なり、なかなか容易なことではない。
【０００９】
この発明は、上述の技術的背景に鑑みてなされたものであり、その目的とするところは、様々な豊富な色彩を提示することができると共に、そうして提示された色彩を印刷技術を用いて容易に再現することができるようにした色見本提示具を提供することにある。
【００１０】
この発明のさらに他の目的並びに作用効果については、明細書の以下の記述を参照することにより、当業者であれば容易に理解することができるであろう。
【課題を解決するための手段】
【００１１】
上述の技術的課題を解決する為に、本発明に係る色見本提示具は、以下の構成を有するものである。
【００１２】
すなわち、本発明に係る色見本提示具は、下地となる色上質紙の紙色と、前記下地となる色上質紙の上に着色印刷する際の基準色インクのインク色と、前記下地となる色上質紙の上に着色印刷する際の網点面積率の値との組み合わせによって、それぞれ特定される固有の色彩を呈する複数枚の印刷着色式の色見本紙片と、前記色見本紙片のそれぞれが、下地として、どのような紙色の色上質紙を使用しているかを示す第１の表示と、前記色見本紙片のそれぞれが、着色のための印刷インクとして、どのようなインク色の基準色インクを使用しているかを示す第２の表示と、前記色見本紙片のそれぞれが、着色印刷の際に、どのような網点面積率の値を使用しているかを示す第３の表示とを包含し、かつ前記複数枚の印刷着色式の色見本紙片は、所定の配置規則にしたがって、利用者に提示可能に配置されているものである。
【００１３】
このような構成によれば、下地となる色上質紙の紙色と、前記下地となる色上質紙の上に着色印刷する際の基準色インクのインク色と、前記下地となる色上質紙の上に着色印刷する際の網点面積率の値との組み合わせによって、それぞれ特定される固有の色彩を呈する様々な色見本紙片を実現して、ユーザであるデザイナ等に豊富な色彩選択肢を提供できることに加えて、第１乃至第３の表示が設けられていることから、これらの表示に基づいて、印刷業者は提示された色彩を印刷技術を使用して容易に再現することができる。
【００１４】
なお、色見本紙片の配置としては、通常の色見本帳のように、冊子を構成する複数の台紙ページのそれぞれに、色見本紙片を所定の配置規則にしたがって平面的に配置するものでもよいし、のちに説明する実施形態のように、所定の配置規則にしたがって、複数の色見本紙片を重ねて綴じて１又は２以上の紙片束とするものであってもよい。
【００１５】
好ましい実施の形態においては、前記複数枚の印刷着色式の色見本紙片は、下地となる色上質紙の紙色と前記下地となる色上質紙の上に着色印刷する際の基準色インクのインク色とを固定したまま、前記下地となる色上質紙の上に着色印刷する際の網点面積率の値のみを所定の最小値と最大値との間で段階的に変化させることにより得られる網点面積率の異なる所定枚数の色見本紙片を、予め用意された色上質紙の紙色数と基準色インクのインク色数との積に相当する分だけ含む、ものであってもよい。
【００１６】
このような構成によれば、ユーザであるデザイナ等に対して、より豊富な色彩選択肢を提供することができる。
【００１７】
このとき、前記所定の配置規則が、前記複数枚の印刷着色式の色見本紙片の全体をインク色を共通とする複数のインク色共通グループに分割し、前記インク色共通グループのそれぞれに含まれる色見本紙片をさらに紙色を共通としかつ網点面積率を段階的に異ならせてなる一連の色見本紙片からなる複数の紙色共通グループに分割し、前記紙色共通グループ毎に重ねて束ねたものをさらにインク色共通グループ毎に束ね、かつ手めくり可能に綴じることで、インク色別の複数の色見本紙片束として配置するものであってもよい。
【００１８】
このような構成によれば、前記紙色共通グループ毎に重ねて束ねたものをさらにインク色共通グループ毎に束ね、かつ手めくり可能に綴じることで、インク色別の複数の色見本紙片束として配置するものであるから、多数の色見本紙片を立体的に重ねて配置することにより、提示具全体をコンパクトに構成することができると共に、色見本紙片同士の比較を、紙色及びインク色を固定したまま、網点面積率を様々な異ならせて行ったり、あるいは、紙色と網点面積率とを固定したまま、インク色を異ならせて行う等々、様々な観点から行うことができる。
【００１９】
このとき、前記インク色別の複数の色見本紙片束は、それぞれ各束に含まれる紙片を扇状に展開可能に軸綴じされている、ものであってもよい。
【００２０】
このような構成によれば、各色見本紙片束に含まれる色見本紙片は、手めくり可能てあるのみならず、扇状に展開可能でもあることから、上記の様々な観点からの色見本紙片同士の比較をより容易に行うことができる。
【００２１】
このとき、前記インク色別の複数の色見本紙片束は、互いに干渉することなく扇状に展開可能なようにして、共通の台紙上に互いに近接して配置固定されていてもよい。
【００２２】
このような構成によれば、各色見本紙片束に含まれる色見本紙片は、互いに干渉することなく扇状に展開可能なようにして、共通の台紙上に互いに近接して配置固定されているものであるから、上記の様々な観点からの色見本紙片同士の比較をより一層容易に行うことができる。
【００２３】
このとき、前記インク色別の複数の色見本紙片束のそれぞれに含まれる各紙色共通束の重ね順序は、全てのインク色共通の色見本紙片束において同一であってもよい。
【００２４】
このような構成によれば、同一紙色でインク色並びに網点面積率の異なる一連の色見本紙片は、ほぼ同一平面内に含まれることから、紙色と網点面積率とを固定したまま、インク色を異ならせて行う比較をより一層容易に行うことができる。
【００２５】
このとき、前記台紙が、平面上に展開された状態から、所定の谷折り線に沿って折り曲げることによりブックケース状の箱体の１つの内面を形成するものであってもよい。
【００２６】
このような構成によれば、複数の色見本紙片束を１つのブックケース状の箱体にまとめて収容することで、その持ち運びや整理が容易となる。
【００２７】
このとき、前記ブックケース状の箱体の１つの面には、前記箱体の内部に配置固定された前記インク色別の複数の色見本紙片束の配置パターンに対応する配置パターンをもって、該当する印刷基準色を呈する着色領域が配置されていてもよい。
【００２８】
このような構成によれば、前記インク色別の複数の色見本紙片束のそれぞれに関連する基準色インクのインク色を視覚を通して、文字や記号を通じての観念的な理解ではなくて、直接的に認識することができる。
【００２９】
このとき、前記着色領域のそれぞれには、該当するインク色を示す第４の表示が付されていてもよい。
【００３０】
このような構成によれば、基準色インクのインク色を直接的な理解のみならず、文字や記号を通じて観念的にも理解することができる。
【００３１】
好ましい実施の形態においては、前記第１の表示が、下地として使用される色上質紙の商品名であってもよい。
【００３２】
このような構成によれば、印刷業者において、下地となる色上質紙を容易かつ確実に発注することができる。
【００３３】
好ましい実施の形態においては、前記第２の表示が、基準色インクのインク色名である藍色（Ｃ）、赤色（Ｍ）、黄色（Ｙ）、及び黒色（Ｋ）の４色の１つであってもよい。
【００３４】
このような構成によれば、提示された色の再現を着色印刷技術を用いて確実に行うことができる。
【００３５】
好ましい実施の形態においては、前記第３の表示が、網点面積率のパーセント表示であってもよい。
【００３６】
このような構成によれば、印刷色の濃度を利用者に対して的確に知らしめることができる。
【００３７】
このとき、前記網点面積率のパーセント表示の取り得る値は、０〜１００パーセントの間を１０段階に等分してなる値の１つであってもよい。
【００３８】
このような構成によれば、印刷色の濃度変化量が適切となり、最適な色彩を容易に探し出すことができる。
【００３９】
好ましい実施の形態においては、前記第１〜第３の表示は、個々の色見本紙片それ自体に付されていてもよい。
【００４０】
このような構成によれば、色見本紙片を重ねて複数のインク色別紙片束とする場合にも、個々の色見本紙片の特徴を明確に表示することができる。
【００４１】
好ましい実施の形態においては、前記色見本紙片のそれぞれには、下地となる色上質紙の色が露呈する紙色露呈部が設けられていてもよい。
【００４２】
このような構成よれば、個々の色見本紙片に下地として採用されている色上質紙の紙色をその色名のみならず、色それ自体によって直接的に把握することが可能となる。
【発明の効果】
【００４３】
本発明によれば、下地となる色上質紙の紙色と、前記下地となる色上質紙の上に着色印刷する際の基準色インクのインク色と、前記下地となる色上質紙の上に着色印刷する際の網点面積率の値との組み合わせによって、それぞれ特定される固有の色彩を呈する様々な色見本紙片を実現して、ユーザであるデザイナ等に豊富な色彩選択肢を提供できることに加えて、第１乃至第３の表示が設けられていることから、これらの表示に基づいて、印刷業者は提示された色彩を印刷技術を用いて容易に再現することができる。
【図面の簡単な説明】
【００４４】
【図１】図１は、色見本提示具の外観斜視図である。
【図２】図２は、色見本提示具のカバー展開状態における斜視図である。
【図３】図３は、色見本提示具のカバー展開状態における分解斜視図である。
【図４】図４は、４個のインク色別の色見本紙片束の基本配置状態を示す拡大平面図である。
【図５】図５は、４個のインク色別の色見本紙片束の回動する様子を示す説明図である。
【図６】図６は、各インク色別の色見本紙片束を構成する一連の紙片が扇状に展開する様子を示す説明図である。
【図７】図７は、紙色を固定した状態で、４色のインク色のそれぞれを用いて着色したときの色合いを確認する場合の例を示す説明図である。
【図８】図８は、インク色を固定した状態で、紙色を様々に変更したときの色合いを確認する場合の例を示す説明図である。
【図９】図９は、各インク色別の色見本紙片束内における紙色別色見本紙束の重ね順と紙色（商品名）との関係を示す図表である。
【図１０】図１０は、各紙色別の色見本紙片束内における色見本紙片の重ね順と網点面積率との関係を示す図表である。
【発明を実施するための形態】
【００４５】
以下に、本発明にかかる色見本提示具の好適な実施の一形態を添付図面を参照しながら詳細に説明する。
【００４６】
本発明に係る色見本提示具の外観斜視図が図１に、同色見本提示具のカバー展開状態における斜視図が図２に、同色見本提示具のカバー展開状態における分解斜視図が図３にそれぞれ示されている。
【００４７】
それらの図に示されるように、この色見本提示具１は、縦９ｃｍ、横１９ｃｍ、及び厚さ４ｃｍのブックケース状のカバー２内に、それぞれ３２０枚（＝３２紙色×１０網点面積率段階）の略長方形の色見本紙片からなる４個の色見本紙片束３、４、５、及び６を配置固定してなるもので、そのまま、書棚に収容したり、デスク上に据え置くことが可能とされている。
【００４８】
ブックケース状のカバー２は、所定の輪郭形状に展開可能な１枚の厚手の紙片により構成されている。この紙片には、組立状態において、ブックケース状カバーの右側面、左側面、上面、下面、及び背面となるべき右側面領域２ａ、左側面領域２ｂ、上面領域２ｃ、下面領域２ｄ、背面領域２ｅ、右側面第１内側領域２ｇ、及び右側面第２内側領域２ｆが、それぞれ所定の谷折り線を介して一体的に連設されている。
【００４９】
上述の４個の色見本紙片束３、４、５、及び６は、２行×２列の縦横配置でかつ互いに近接させた状態にてカバー左側面領域２ｂ上に置かれ、それぞれピン７、８、９、及び１０を介して、回動自在に固定されている。
【００５０】
より具体的には、色見本紙片束３は、それぞれ固有の色を呈する３２０枚の長方形の色見本紙片３１を整列して重ね、各紙片の左上所定位置に明けられた孔３１ａに、上から下へとピン７を貫通させ、さらに、その貫通端をカバー左側面領域２ｂに明けられた孔２０から裏側に突出させ、その突出端を図示しない留め具にて固定することにより、ピン７の頭部フランジ７ａとカバー左側面領域２ｂとの間で、ピン７を支点として回動可能に挟持固定することで構成されている。
【００５１】
同様にして、色見本紙片束４は、それぞれ固有の色を呈する３２０枚の長方形の色見本紙片４１を整列して重ね、各紙片の右上所定位置に明けられた孔４１ａに、上から下へとピン８を貫通させ、さらに、その下端を左側面領域２ｂに明けられた孔２１から裏側に突出させ、その貫通端を図示しない留め具にて固定することにより、ピン８の頭部フランジ８ａとカバー左側面領域２ｂとの間で、ピン８を支点として回動可能に挟持固定することで構成されている。
【００５２】
同様にして、色見本紙片束５は、それぞれ固有の色を呈する３２０枚の長方形の色見本紙片５１を整列して重ね、各紙片の右上所定位置に明けられた孔５１ａに、上から下へとピン９を貫通させ、さらに、その下端を左側面領域２ｂに明けられた孔２２から裏側に突出させ、その貫通端を図示しない留め具にて固定することにより、ピン９の頭部フランジ９ａとカバー左側面領域２ｂとの間で、ピン９を支点として回動可能に挟持固定することで構成されている。
【００５３】
同様にして、色見本紙片束６は、それぞれ固有の色を呈する３２０枚の長方形の色見本紙片６１を整列して重ね、各紙片の左上所定位置に明けられた孔６１ａに、上から下へとピン１０を貫通させ、さらに、その下端をカバー左側面領域２ｂに明けられた孔２３から裏側に突出させ、その貫通端を図示しない留め具にて固定することにより、ピン１０の頭部フランジ１０ａとカバー左側面領域２ｂとの間で、ピン１０を支点として回動可能に挟持固定することで構成されている。
【００５４】
このような狭持固定構造のために、４つの色見本紙片束３、４、５、及び６のそれぞれは、図５に示されるように、個々の見本紙片束３、４、５、及び６の単位で互いに外側へと回動可能とされると共に、図６に示されるように、個々の色見本紙片３１、４１、５１、及び６１の単位でも外側へと回動して扇状に展開可能とされている。
【００５５】
一方、色見本紙片束３、４、５、及び６を構成する個々の色見本紙片３１、４１、５１、及び６１のそれぞれは、図４に示されるように、インク着色部１１と紙色露呈部１２とを有する。なお、それらの色見本紙片３１、４１、５１、及び６１は、縦４ｃｍ、横９ｃｍの大きさであり、色見本紙片３１、４１、５１、及び６１となる印刷用紙としては、この例にあっては、ある程度の剛性を持たせて、トランプのように扇状に展開することを容易とするために、厚みが１００μｍ、坪量は９０ｇ／ｍ2である色上質紙の厚口（商品名：紀州の色上質  厚口）が採用され、その上に、後述するように、網点面積率を１０段階に異ならせて、着色印刷が行われる。
【００５６】
インク着色部１１は、所定紙色数（この例にあっては３２色）の色上質紙の中から選ればれた１の紙色の色上質紙の上に、４色の基準色インク（藍色（Ｃ）インク、赤色（Ｍ）インク、黄色（Ｙ）インク、黒色（Ｋ）インク）から選ばれた１のインク色の基準色インクを使用して、網点面積率０％〜１００％の間を１０等分してなる１０段階の網点面積率から選ばれた１の段階の網点面積率により、着色印刷（ベタ印刷又は図柄印刷）を施すことにより得られた固有の色彩を呈する。なお、網点面積率の調整は、当業者にはよく知られているように、例えば、単位面積当たりの網点個数、及び／又は、網点サイズの調整により行うことができる。
【００５７】
紙色露呈部１２は、下地とされた色上質紙の紙色をそのまま露呈する。この紙色露呈部１２は、当該色見本紙片が、下地として、どのような紙色の色上質紙を使用しているかを示す第１の表示１３と、当該色見本紙片が、着色のための印刷インクとして、どのようなインク色の基準色インクを使用しているかを示す第２の表示１４と、当該色見本紙片が、着色印刷の際に、どのような網点面積率の段階値を使用しているかを示す第３の表示１５とを有する。
【００５８】
この例にあっては、第１の表示１３としては、印刷業者からの注文を容易とするために、当該色上質紙の商品名（詳細は後述する）が採用されている。また、第２の表示１４としては、４色の基準色インク（藍色インク、赤色インク、黄色インク、黒色インク）をそれぞれ示すアルファベット記号（Ｃ、Ｍ、Ｙ、Ｋ）が採用されている。また、第３の表示としては、網点面積率０〜１００％を１０等分してなる各段階値をそれぞれ示すパーセント表示（例えば、１０％、２０％、３０％・・・１００％）が採用されている。
【００５９】
３２色の色上質紙としては、この例にあっては、北越紀州製紙株式会社の色上質紙の商品名である「白」、「レモン」、「アイボリー」、「肌」、「白茶」、「クリーム」、「濃クリーム」、「やまぶき」、「黄」、「もえぎ」、「みどり」、「若竹」、「鶯」、「若草」、「浅黄」、「水」、「空」、「ブルー」、「うす水」、「あじさい」、「ラベンダー」、「藤」、「りんどう」、「さくら」、「コスモス」、「サーモン」、「びわ」、「オレンジ」、「アマリリス」、「赤」、「銀鼠」、「黒」にて特定される３２色の色上質紙が採用されている（図９参照）。
【００６０】
そして、４つの色見本紙片束３、４、５、及び６のそれぞれは、下地となる色上質紙の紙色及び使用する基準色インクのインク色を共通としかつ網点面積率の異なる１０枚の色見本紙片を、図１０に示される網点面積率段階順に重ねたものを１組として、これを紙色を異ならせて、図９に示される紙色順にて、３２組だけ重ねて構成されている。
【００６１】
すなわち、色見本紙片束３、４、５、及び６は、基準色インクとして藍（Ｃ）色インク、赤（Ｍ）インク、黄（Ｙ）インク、及び黒（Ｋ）インクをそれぞれ使用して着色印刷してなる３２０枚の色見本紙片を重ねて構成されたものであり、それぞれ、最上段に位置する１組の色見本紙片は、下地として紙色（白）の色上質紙を使用しかつ網点面積率を１０段階（１０％、２０％、３０％、・・・１００％）に異ならせてなる１０枚の色見本紙片を、図１０に示される面積率の順に重ねてなるものであり、第２段に位置する１組の色見本紙片は、下地として紙色（レモン）の色上質紙を使用しかつ網点面積率を１０段階（１０％、２０％、３０％、・・・１００％）に異ならせてなる１０枚の色見本紙片を、図１０に示される面積率の順に重ねてなるものであり、第３段に位置する１組の色見本紙片は、下地として紙色（アイボリー）の色上質紙を使用しかつ網点面積率を１０段階（１０％、２０％、３０％、・・・１００％）に異ならせてなる１０枚の色見本紙片を、図１０に示される面積率の順に重ねてなるものであり、以下同様にして進み、第３１段に位置する１組の色見本紙片は、下地として紙色（銀鼠）の色上質紙を使用しかつ網点面積率を１０段階（１０％、２０％、３０％、・・・１００％）に異ならせてなる１０枚の色見本紙片を、図１０に示される面積率の順に重ねてなるものであり、最下段に位置する１組の色見本紙片は、下地として紙色（黒）の色上質紙を使用しかつ網点面積率を１０段階（１０％、２０％、３０％、・・・１００％）に異ならせてなる１０枚の色見本紙片を、図１０に示される面積率の順に重ねてなるものとなるのである。
【００６２】
換言すれば、この色見本提示具１は、下地となる色上質紙の紙色（この例では、図９に示す３２色）と、下地となる色上質紙の上に着色印刷する際の基準色インクのインク色（この例では、藍・赤・黄・黒の４色）と、下地となる色上質紙の上に着色印刷する際の網点面積率の値（この例では、１０％〜１００％の１０段階の値）との組み合わせによって、それぞれ特定される固有の色彩を呈する複数枚（この例では、３２紙色×１０面積率段階×４インク色＝１２８０枚）の印刷着色式の色見本紙片を含むものと言うことができる。
【００６３】
図２に戻って、展開状態にあるケース２をブックケース状の箱体に戻すためには、先ず、右側面第３領域２ｆを４個の紙片束３〜６の上に被せたのち、続いて右側面第２領域２ｇをその上に被せ、続いて、右側面領域２ａをさらにその上に被せることで、各紙片束３〜６を包み込む剛性箱体を構成することができる。その際、右側面第３領域２ｆの外面には、各紙片束３〜６の配置に対応して、各紙片束のインク色と対応する４つの着色領域１６、１７、１８、及び１９が設けられると共に、それらの着色領域１６、１７、１８、及び１９の各中央部には、インク色を示すアルファベット表示（「Ｃ」、「Ｍ」、「Ｙ」、「Ｋ」）が設けられている。
【００６４】
以上の構成よりなる色見本提示具１によれば、下地となる色上質紙の紙色（３２色）と、前記下地となる色上質紙の上に着色印刷する際の基準色インクのインク色（４色）と、前記下地となる色上質紙の上に着色印刷する際の網点面積率の値（１０通り）との組み合わせによって、それぞれ特定される固有の色彩を呈する複数枚（３２×４×１０＝１２８０枚）の印刷着色式の色見本紙片からなるものであるから、デザイナー等のユーザに対して、豊富な色選択肢を提供することができると共に、各色見本紙片３１、４１、５１、及び６１のそれぞれには、第１〜第３の表示１３〜１５が設けられていることから、それらの表示に基づいて、印刷業者は、その色見本紙片の呈する色を容易かつ的確に再現することが可能となる。
【００６５】
また、それら１２８０枚の色見本紙片は、インク色別のそれぞれ３２０枚の色見本紙片からなる４つの色見本紙片束３、４、５、及び６に分けて配置されていることから、全体としてコンパクトに構成することができる。
【００６６】
また、それら４つの色見本紙片束３、４、５、及び６は、それぞれピン７、８、９、及び１０を介して、回動自在に軸綴じされているため、個々の色見本紙片３１、４１、５１、及び６１を個別に紙片束から取り出したり、それらの複数を扇状に展開する等することができ、そのため、例えば図７に示されるように紙片を扇状に展開すれば、紙色を「あじさい」に固定した状態で、４色のインク色（藍色、赤色、黄色、及び黒色）のそれぞれを用いて着色したときの色合いを確認したり、あるいは図８に示されるように紙片を扇状に展開すれば、インク色を赤色に固定した状態で、紙色を様々に変更したときの色合いを確認すると言った操作を行いながら、デザイナーは自分のイメージを膨らませることができる。
【００６７】
また、個々の色見本紙片３１、４１、５１、及び６１のそれぞれには、印刷の結果として呈する色を示すインク着色部１１のみならず、下地となる色上質紙の紙色をそのまま残す紙色露呈部１２も設けられているため、第１の表示１３として印刷業者の発注に便利な商品名を使用したとしても、その表示１３の意味する色を視覚を持って直接的に認識することもできる。
【００６８】
また、インク色別の４つの色見本紙片束３、４、５、及び６は、台紙として機能するカバー２の左側面領域２ｂ上に互いに近接してかつ互いに干渉することなく扇状に展開可能に配置固定されているため、展開状態のカバーをブックケース状箱体に組み立てることで、当該ケース内にそれらの紙片束３、４、５、及び６を収容保持することができ、そのため、持ち運びや取扱が容易である。
【００６９】
また、カバー２の右側面第１内面領域２ｆには、４つの色見本紙片束３、４、５、及び６の配置と同じ配置で、それぞれ対応するインク色に着色された４つの着色領域１６、１７，１８、及び１９が存在すると共に、それぞれの領域の中央には該当するインク色名を示す第４の表示であるアルファベット表示（Ｃ、Ｍ、Ｙ、Ｋ）が設けられていることから、それらに基づいて、ユーザはインク色名とその色彩との関係、及びその配置を容易に確認することもできる。
【００７０】
さらに、４つの色見本紙片束３、４、５、及び６に含まれる紙色の重なり順序は、いずれの紙片束においても同一であることから、各紙片束から同一の紙色を探し出す操作が容易である。
【００７１】
なお、以上の実施形態においては、個々の色見本紙片の外形を長方形としたが、それは単なる一例であって、その他、円形や楕円形、ハート形等々、任意の外形のものを採用しうることは勿論である。
【００７２】
また、以上の実施形態においては、１２８０枚の色見本紙片を着色に使用するインク色別の４つのグルーブに分け、それぞれのグループに属する色見本紙片３１、４１、５１、及び６１を重ねて束ねたが、それも単なる一例であって、従前この種の色見本提示具（色見本帳）にてよく採用されるように、複数の台紙ページを有する冊子を用意して、それぞれの台紙ページに平面的に配列したり、階段状に配列する等々、任意の配置態様を採用しうることは勿論である。
【００７３】
さらに、以上の実施形態においては、印刷態様としてベタ印刷を採用したが、それも単なる一例であって、その他、図柄印刷とする等、任意の印刷態様を採用しうることは勿論である。
【産業上の利用可能性】
【００７４】
本発明によれば、様々な豊富な色彩を提示することができると共に、そうして提示された色彩を印刷技術を用いて容易に再現することができるようにした色見本提示具を提供することができる。
【符号の説明】
【００７５】
１    色見本提示具
２    カバー
２ａ    右側面第１領域
２ｂ    左側面領域
２ｃ    上面領域
２ｄ    下面領域
２ｅ    右側面領域
２ｆ    右側面第１内側領域
２ｇ    右側面第２内側領域
３    藍（Ｃ）色インクの色見本紙片束
４    赤（Ｍ）色インクの色見本紙片束
５    黄（Ｙ）色インクの色見本紙片束
６    黒（Ｋ）色インクの色見本紙片束
７    ピン
７ａ    頭部フランジ
８    ピン
８ａ    頭部フランジ
９    ピン
９ａ    頭部フランジ
１０    ピン
１０ａ    頭部フランジ
１１    インク着色部
１２    紙色露呈部
１３    第１の表示
１４    第２の表示
１５    第３の表示
１６    藍（Ｃ）色の着色領域
１７    赤（Ｍ）色の着色領域
１８    黄（Ｙ）色の着色領域
１９    黒（Ｋ）色の着色領域
２０    孔
２１    孔
２３    孔
２４    孔
３１    藍（Ｃ）色インク共通の色見本紙片束を構成する色見本紙片
３１ａ    孔
４１    赤（Ｍ）色インク共通の色見本紙片束を構成する色見本紙片
４１ａ    孔
５１    黄（Ｙ）色インク共通の色見本紙片束を構成する色見本紙片
５１ａ    孔
６１    黒（Ｋ）色インク共通の色見本紙片束を構成する色見本紙片
６１ａ    孔
【図１】
2017058521.tif 000003
【図２】
2017058521.tif 000004
【図３】
2017058521.tif 000005
【図４】
2017058521.tif 000006
【図５】
2017058521.tif 000007
【図６】
2017058521.tif 000008
【図７】
2017058521.tif 000009
【図８】
2017058521.tif 000010
【図９】
2017058521.tif 000011
【図１０】
2017058521.tif 000012